(57)【要約】【課題】ドアとサイドシル部との間のシールを司るパーティングシールを有効利用した排水構造であって、サイドシル部の外側面を水が伝い落ちることがないようにし、もって汚損によってサイドシル部の見栄えが損なわれることがない排水構造を提供する。【解決手段】ドア下縁に設けたパーティングシール４に排水溝１７を形成し、ドア下縁のドア側排水穴から排水される雨水Ｄを排水溝７で受ける。パーティングシール４の端末部４Ｂに上側および下側の水抜き穴９，１０を形成しておき、排水溝７の雨水Ｄを水抜き穴９，１０および上側のボデイ側排水穴１２を通してサイドシル部３の内部に落とし込み、最終的に下側のボデイ側排水穴１３から車外に排水する。【選択図】図５
2008279965.tif 000002
【特許請求の範囲】
【請求項１】
ドア閉時に車外側の面がドアの下縁と弾接するシール部材をボデイ側のサイドシル部の長手方向に沿って設け、
ドアの下縁のドア側排水穴から排水される水の流路となる排水溝を上記シール部材の上面にその長手方向に沿って設けるとともに、
上記シール部材の長手方向の一部に上記排水溝の水をサイドシル部に形成されたボデイ側側排水穴に導く水抜き穴を設けたことを特徴とする自動車用ドアの排水構造。
【請求項２】
上記シール部材が中空状のものであって、その長手方向両端が閉塞されていることを特徴とする請求項１に記載の自動車用ドアの排水構造。
【請求項３】
上記シール部材の長手方向の両端部に排水溝の溝状空間を堰き止める止水壁を形成してあることを特徴とする請求項２に記載の自動車用ドアの排水構造。
【請求項４】
上記シール部材は押出成形により形成された中空状の一般部とその長手方向両端に型成形により一体に形成された端末部とを備えていて、
上記端末部に水抜き穴とともに止水壁を形成してあることを特徴とする請求項３に記載の自動車用ドアの排水構造。
【請求項５】
上記シール部材のうちドア閉時にドアの下縁と弾接することになる車外側の面よりも車内側に排水溝を形成するとともに、その排水溝よりも車内側の部位が車外側の面とともにドア閉時にドアの下縁と弾接するようになっていることを特徴とする請求項４に記載の自動車用ドアの排水構造。
【請求項６】
上記止水壁は、シール部材の端面視において当該シール部材とドアとの間の排水溝相当の空間を埋めるように形成されていることを特徴とする請求項５に記載の自動車用ドアの排水構造。
【請求項７】
上記端末部の水抜き穴に加えて一般部にも水抜き穴を形成したことを特徴とする請求項６に記載の自動車用ドアの排水構造。
【請求項８】
上記シール部材に排水溝の上面を覆う片持ち式のカバーリップを設けたことを特徴とする請求項１〜７のいずれかに記載の自動車用ドアの排水構造。
【発明の詳細な説明】
【技術分野】
【０００１】
本発明は自動車用ドアの排水構造に関し、特にドアの下縁とボデイ側のサイドシル部との間にシール部材として設けられたいわゆるパーティングシールを有効利用した排水構造に関するものである。
【背景技術】
【０００２】
この種の自動車用ドアの排水構造として、例えば特許文献１に記載のように、ドア本体の下縁部にボデイ側のサイドシル部との間をシールする中空状のパーティングシールを長手方向に沿って設け、このパーティングシールの中空部を水路として利用するべくドア本体から排水された水を上記パーティングシールの中空部に導いた上で、そのパーティングシールの長手方向両端から外部に排水するようにしたものがある。
【０００３】
また、オープンカーの排水構造として、例えば特許文献２に記載のように、フロントピラー部に沿って配設されたフロントウエザーストリップを伝い落ちる水を、サイドシル部に形成された排水穴を通して車外に排水するようにしたものがある。
【特許文献１】特開平８−１４２６７３号公報
【特許文献２】特開平１０−１１９５８５号公報
【発明の開示】
【発明が解決しようとする課題】
【０００４】
しかしながら、特許文献１に記載の技術では、パーティングシールの長手方向両端から排水された水がサイドシル部を伝って車外に排水されることになるので、水が流れた跡がすじ状の痕跡としてそのままサイドシル部に残り、汚損によって見栄えが損なわれることとなって好ましくない。
【０００５】
また、特許文献１に記載の技術を前提として、特許文献２に記載のようにサイドシル部に形成された排水穴を通して車外に排水することとした場合に、パーティングシールがドア側に配設されているかぎりはパーティングシールからの排水口をサイドシル部側の排水穴に合致させることが困難であり、一部の水がなおもサイドシル部を伝って車外に排水されることには変わりはなく、依然として汚損によって見栄えが損なわれることになる。
【０００６】
本発明はこのような課題に着目してなされたものであり、ドアとサイドシル部との間のシールを司るシール部材を有効利用した排水構造であっても、サイドシル部を水が伝い落ちることがないようにし、もって汚損によってサイドシル部の見栄えが損なわれることがないようにした排水構造を提供することを目的とする。
【課題を解決するための手段】
【０００７】
請求項１に記載の発明は、自動車用ドアの排水構造として、ドア閉時に車外側の面がドアの下縁と弾接するシール部材をボデイ側のサイドシル部の長手方向に沿って設け、ドアの下縁のドア側排水穴から排水される水の流路となる排水溝を上記シール部材の上面にその長手方向に沿って設けるとともに、上記シール部材の長手方向の一部に上記排水溝の水をサイドシル部に形成されたボデイ側側排水穴に導く水抜き穴を設けたことを特徴とする。
【０００８】
ドア閉時のシール部材の反力を可及的に小さくしていわゆるドア閉じ性に影響を与えないようにするためには、請求項２に記載のように上記シール部材が中空状のものであることが望ましく、同時にシール部材が中空状であることに基づく風切り音等を抑制する上では、シール部材の長手方向両端が閉塞されていることが望ましい。
【０００９】
また、上記排水溝を効果的に機能させるためには、請求項３に記載のように、シール部材の長手方向の両端部に排水溝の溝状空間を堰き止める止水壁を形成してあることが望ましい。
【００１０】
より具体的には、請求項４に記載のように、シール部材は押出成形により形成された中空状の一般部とその長手方向両端に型成形により一体に形成された端末部とを備えていて、上記端末部に水抜き穴とともに止水壁を形成してあることが成形性の上で望ましい。
【００１１】
さらに、上記排水溝を効果的に機能させるのと同時に、その排水溝を流れる空気を遮断するためには、請求項５に記載のように、シール部材のうちドア閉時にドアの下縁と弾接することになる車外側の面よりも車内側に排水溝を形成するとともに、その排水溝よりも車内側の部位が車外側の面とともにドア閉時にドアの下縁と弾接するようになっていることが望ましい。
【００１２】
より望ましくは、請求項６に記載のように、止水壁はシール部材の端面視において当該シール部材とドアとの間の排水溝相当の空間を埋めるように形成されているものとする。
【００１３】
なお、請求項７に記載のように、端末部の水抜き穴に加えて一般部にも水抜き穴を形成すれば、シール部材の中空部も排水溝として有効利用することができる。
【００１４】
また、請求項８に記載のように、シール部材に排水溝の上面を覆う片持ち式のカバーリップを設ければ、ドア開時に排水溝が目立たないようになり、見栄えが良好なものとなる。
【００１５】
したがって、少なくとも請求項１に記載の発明では、ドア下縁のドア側排水穴から排水された水はシール部材の上面の排水溝を流れた上で、水抜き穴からサイドシル部に形成されたボデイ側排水穴を経てサイドシル部の内部へと流入する。そして、サイドシル部内に流入した水は例えばサイドシル部の下面に形成された別の排水穴から車外へと排水される。これにより、ドア下縁のドア側排水穴から排水された水がサイドシル部の外側面を伝い落ちることがないから、サイドシル部での汚損の発生もなければ見栄えが損なわれることもない。
【発明の効果】
【００１６】
請求項１に記載の発明によれば、ドア下縁のドア側排水穴から排水された水がサイドシル部の外側面を伝い落ちるようにして流下することがなくなり、サイドシル部での汚損防止とともに見栄えの向上が図れるようになる。
【００１７】
請求項２に記載の発明によれば、中空状のシール部材の長手方向両端が閉塞されていることにより、シール部材の中空部を空気が通流することがないから、風切り音の発生を未然に防止することができる。
【００１８】
請求項３に記載の発明によれば、シール部材の長手方向の両端部に止水壁を形成したことにより、排水溝の外部に水が流れ出すことがなく、排水溝による排水性が一段と向上する。
【００１９】
請求項４に記載の発明によれば、シール部材のうち押出成形された中空状の一般部の長手方向両端に型成形により端末部を一体に形成し、その端末部に水抜き穴とともに止水壁を形成してあるので、端末部を型成形する際に同時に水抜き穴や止水壁を同時に成形することができ、成形性が良好なものとなる。
【００２０】
請求項５に記載の発明によれば、シール部材のうち排水溝をはさんでその両側の部分がドア閉時にドアの下縁と弾接するので、排水溝からの水漏れを確実に防止できるとともに、シール部材とドアとの弾接がいわゆる二重シール構造となることで当該部位での遮音性が向上し、特にドア側排水穴からの音の侵入を抑制できる利点がある。
【００２１】
請求項６に記載の発明によれば、止水壁がシール部材の端面視において当該シール部材とドアとの間の排水溝相当の空間を埋めるように形成されているので、排水溝での空気の通流を遮断することができ、これによってもまた遮音性が向上する。
【００２２】
請求項７に記載の発明によれば、端末部の水抜き穴に加えて一般部にも水抜き穴を形成し、実質的にシール部材の中空部も排水溝の一部として有効利用するようにしたものであるから、排水性が一段と向上する。
【００２３】
請求項８に記載の発明によれば、シール部材に排水溝の上面を覆うカバーリップを付設したものであるから、ドア開時においても排水溝が目立つことがなく、見栄えが良好なものとなる。
【発明を実施するための最良の形態】
【００２４】
図１〜６は本発明に係る自動車用ドアの排水構造のより具体的な実施の形態を示す図である。
【００２５】
図１，２に示すように、自動車のフロント側およびリア側のそれぞれのドア２を受容することになるボデイ１側のドア開口部の下縁、より具体的にはサイドシル部３を形成しているサイドシルアウタパネル３ａの外側面の段状部にはシール部材として略矩形中空状のパーティングシール４がその長手方向に沿って配設されている。パーティングシール４はクリップ５によりサイドシルアウタパネル３ａに固定されていて、ドア閉時にドア２の下縁がそのパーティングシール４の車外側の外側面４ａに弾接して車室内外をシールすることになる。
【００２６】
パーティングシール４は、図３，４に示すように、ドア２の下縁のほぼ全長にわたる長さを有しており、図２に示す均一断面形状のものとして押出成形された一般部（押出成形部）４Ａと、その一般部４Ａの両端に滑らかに連続するように型成形をもって接合線６にて接合・成形された端末部（型成形部）４Ｂとから構成されていて、各端末部４Ｂの端面は後述する蓋状壁部１４（図６参照）によって閉塞されている。
【００２７】
図２の（Ｂ）に示すように、パーティングシール４には自由状態（ドア２の非弾接状態）においてもその上面が窪むように全長にわたり凹状の排水溝７が形成されていて、同図（Ａ）に示すようにパーティングシール４にドア２が弾接したときにはその弾性変形により排水溝７の窪みの度合いが大きくなるとともに、排水溝７をはさんでその両側の凸状の稜線部４ｂ，４ｃがドア２の下縁に弾接するようになっている。また、ドア２の下縁であるドアインナパネル２ａの一部には単一または複数のドア側排水穴８が形成されていることから、図２の（Ａ）のようなドア閉状態においてはドア側排水穴８が排水溝７の位置と一致するように設定してある。
【００２８】
なお、上記のように、ドア閉時にパーティングシール４の車外側の外側面４ａのほか二箇所の稜線部４ｂ，４ｃがドア２と弾接することにより、いわゆる二重、三重の多重シール構造のかたちとなって車室内外のシール性が向上するとともに、排水溝７が独立した溝状空間となってその排水溝７からの水漏れを未然に防止できるようになる。
【００２９】
図４，５に示すように、上記排水溝７のうち双方の端末部４Ｂに相当する部分にはその排水溝７の底面に開口しつつ端末部４Ｂ自体を貫通するように上側水抜き穴９と下側水抜き穴１０が形成されているとともに、下側水抜き穴１０には比較的短いドレンパイプ１１が延長形成されていて、このドレンパイプ１１はサイドシルアウタパネル３ａに形成された上側のボデイ側排水穴１２に挿入されている。なお、サイドシルアウタパネル３ａの下面にも下側のボデイ側排水穴１３が形成されている。
【００３０】
また、図４，６に示すように、双方の端末部４Ｂの端面にはそれ自体の断面形状と同じ蓋状壁部１４（図６にハッチングを付した部分）が一体成形されていることにより中空部１５が閉塞されているとともに、その蓋状壁部１４と一体に排水溝７の形状に合致する止水壁１６（図６にクロスハッチングを付した部分）が形成されている。この止水壁１６は、端末部４Ｂの端面視において当該端末部４Ｂとドア２側のドアインナパネル２ａとの間の排水溝相当の空間を埋めるべく、車内側の稜線部４ｂから車外側の稜線部４ｃに跨るように形成されていて、図６のドア閉状態では双方の稜線部４ｂ，４ｃとともに止水壁１６の上面がドアインナパネル２ａに弾接するようになっている。これにより、同図のドア閉状態ではドア２とパーティングシール４との間に双方の稜線部４ｂ，４ｃと止水壁１６とで仕切られたいわゆる樋状の排水溝７が形成されることになる。
【００３１】
したがって、このように構成された排水構造によれば、ドア２の内部に不可避的に侵入した雨水Ｄ等はドア側排水穴８から流れ出ることになるが、その雨水Ｄは図２のようにパーティングシール４の上面の排水溝７で捕集されるとともに、その排水溝７を長手方向に流れた上で、図５に示すように端末部４Ｂの上側水抜き穴９および下側水抜き穴１０を通して上側のボデイ側排水穴１２からサイドシル部３の内部に流れ込むことになる。そして、サイドシル部３の内部に流れ込んだ雨水は最終的には下側のボデイ側排水穴１３から車外に排水されることになる。
【００３２】
このように本実施の形態によれば、ドア側排水穴８から流れ出た雨水Ｄ等をパーティングシール４の上面の排水溝７にて受けた上で、上側水抜き穴９および下側水抜き穴１０を通してサイドシル部３の内部に流し込むようにしているので、少なくともドア側排水穴８から流れ出た雨水Ｄ等がサイドシル部３の外側面を伝い落ちることがなく、サイドシル部３での汚損の発生もなければ見栄えが損なわれることもないだけでなく、次に列挙するような利点がある。
【００３３】
（ａ）パーティングシール４の両端において端末部４Ｂの端面が蓋状壁部１４にて閉塞されているので、パーティングシール４の中空部１５を空気が通流することがなく、風切り音が発生することがない。
【００３４】
（ｂ）排水溝７は二箇所の稜線部４ｂ，４ｃと前後二箇所の止水壁１６で仕切られているので、排水溝７の外部に水が流れ出すことがなく、排水溝７による排水性がきわめて良好となる。
【００３５】
（ｃ）型成形をもって形成された端末部４Ｂに蓋状壁部１４や上側水抜き穴９および下側水抜き穴１０とともに止水壁１６を一体に形成してあるので、端末部４Ｂを型成形する際に水抜き穴９，１０や止水壁１６を同時に成形することができ、成形性に優れる。
【００３６】
（ｄ）排水溝７をはさんでその両側の稜線部４ｂ，４ｃがドア閉時にドア２の下縁と弾接するので、排水溝７からの水漏れを確実に防止できるとともに、パーティングシール４とドア２との弾接がいわゆる多重シール構造となることで当該部位での遮音性が向上するほか、ドア側排水穴８からの音の侵入を抑制できる。
【００３７】
（ｅ）止水壁１６が端末部４Ｂの端面視においてパーティングシール４とドア２との間の排水溝相当の空間を埋めるように形成されているので、排水溝７での空気の通流を遮断して、遮音性向上に寄与できる。
【００３８】
図７〜９は本発明に係る排水構造の第２の実施の形態を示し、先の第１の実施の形態と共通する部分には同一符号を付してある。
【００３９】
この第２の実施の形態では、パーティングシール４の端末部４Ｂにおいて排水溝７に開口する上側水抜き穴９とは別に、一般部４Ａにおいても排水溝７に開口する単一または複数の上側水抜き穴１９を形成したものである。
【００４０】
したがって、先の第１の実施の形態では、排水溝７を一般部４Ａ側から端末部４Ｂ側まで流れた雨水Ｄ等がその端末部４Ｂの上側水抜き穴９から初めて下方に流れ落ちるのに対して、第２の実施の形態によれば、図７，８に示すように一般部４Ａの排水溝７を雨水Ｄ等が流れる過程でその一部の雨水Ｄ等が当該一般部４Ａに形成された上側水抜き穴１９から中空部１５内に流れ落ち、実質的に一般部４Ａの中空部１５を排水溝７の一部として有効利用するべくその中空部１５内を端末部４Ｂ側まで流れた上で、図９に示すように下側水抜き穴１０にて合流してサイドシル部３の内部に流れ落ちることになる。これは、一般部４Ａの中空部１５を排水溝７の一部として有効利用することで排水溝７の雨水Ｄ等の受け入れ能力が向上し、結果として排水性が一段と向上することになる。
【００４１】
図１０〜１３は本発明に係る排水構造の第３の実施の形態を示し、先の第１の実施の形態と共通する部分には同一符号を付してある。
【００４２】
図１０，１１に示すように、この第３の実施の形態では、パーティングシール２４の排水溝７の上部に当該排水溝７の機能を損なうことなくカバーリップ１７を設けたものであり、より具体的には、排水溝７の上面を覆うように車内側の稜線部４ｂに相当する位置を根元部とする片持ち式のカバーリップ１７を車外側に向けて突出形成したものである。このカバーリップ１７は、図１１の（Ｂ）の自由状態（ドア開状態）では車外側の稜線部４ｃとの間にわずかな隙間Ｇを残して排水溝７の上面を覆っている一方、ドア閉時には同図（Ａ）に示すように根元部である車内側の稜線部４ｂにドアインナパネル２ａが弾接することでカバーリップ１７が排水溝７側に倒れ込むようになっている。
【００４３】
また、パーティングシール２４における端末部４Ｂの端面では図１３に示すように蓋状壁部１４（図１３にハッチングを付した部分）にて中空部１５が閉塞されている一方、車内側の稜線部４ｂから車外側の稜線部４ｃに跨る部分には蓋状壁部１４と一体に止水壁１６（図１３にクロスハッチングを付した部分）が形成されている。そして、カバーリップ１７の長手方向の両端面は止水壁１６に近接してはいても、カバーリップ１７の両端面は止水壁１６に連結されておらず、図１１の（Ａ），（Ｂ）同士を比較すると明らかなようにカバーリップ１７単独でのスムーズな起倒が可能となっている。
【００４４】
したがって、この第３の実施の形態によれば、カバーリップ１７があることによって排水溝７の本来の機能が損なわれることがないことはもちろんのこと、図１１の（Ｂ）に示すようにドア開時には隙間Ｇを残してカバーリップ１７が排水溝７の上面を覆っているので、窪んでいる排水溝７が目立つことがなく、ドア開時の見栄えが良好なものとなる。
【００４５】
ここで、上記各実施の形態ではパーティングシール４または２４における双方の端末部４Ｂに上側水抜き穴９および下側水抜き穴１０を形成しているが、これらの上側水抜き穴９および下側水抜き穴１０はいずれか一方の端末部４Ｂに形成されていれば所期の目的を達成することができる。
【図面の簡単な説明】
【００４６】
【図１】本発明に係る排水構造が適用される自動車の側面図。
【図２】本発明に係る排水構造の第１の実施の形態を示す図で、（Ａ）は図１のａ−ａ線（図４のａ−ａ線を含む）およびｂ−ｂ線に沿うドア閉時の要部断面図、（Ｂ）は同図（Ａ）のドア開時の要部断面図。
【図３】図２に示したパーティングシール全体の概略説明図。
【図４】図３に示したパーティングシールの要部拡大斜視図。
【図５】図４のｃ−ｃ線に沿う要部断面図。
【図６】図４のｄ−ｄ線に沿う要部断面図。
【図７】本発明に係る排水構造の第２の実施の形態を示す図で、パーティングシールの要部拡大斜視図。
【図８】図７のｅ−ｅ線に沿う要部断面図。
【図９】図７のｆ−ｆ線に沿う要部断面図。
【図１０】本発明に係る排水構造の第３の実施の形態を示す図で、パーティングシールの要部拡大斜視図。
【図１１】（Ａ）は図１０のｇ−ｇ線に沿うドア閉時の要部断面図、（Ｂ）は同図（Ａ）のドア開時の要部断面図。
【図１２】図１０のｈ−ｈ線に沿う要部断面図。
【図１３】図１０のｉ−ｉ線に沿う要部断面図。
【符号の説明】
【００４７】
２…ドア
２ａ…ドアインナパネル
３…サイドシル部
３ａ…サイドシルアウタパネル
４…パーティングシール（シール部材）
４Ａ…一般部
４Ｂ…端末部
４ａ…車外側の外側面
４ｂ…車内側の稜線部
４ｃ…車外側の稜線部
７…排水溝
８…ドア側排水穴
９…上側水抜き穴
１０…下側水抜き穴
１２…上側のボデイ側排水穴
１３…下側のボデイ側排水穴
１４…蓋状壁部
１５…中空部
１６…止水壁
１７…カバーリップ
１９…上側水抜き穴
２４…パーティングシール（シール部材）
Ｄ…雨水
【図１】
2008279965.tif 000003
【図２】
2008279965.tif 000004
【図３】
2008279965.tif 000005
【図４】
2008279965.tif 000006
【図５】
2008279965.tif 000007
【図６】
2008279965.tif 000008
【図７】
2008279965.tif 000009
【図８】
2008279965.tif 000010
【図９】
2008279965.tif 000011
【図１０】
2008279965.tif 000012
【図１１】
2008279965.tif 000013
【図１２】
2008279965.tif 000014
【図１３】
2008279965.tif 000015